(57)【要約】【課題】基準値が明示されていない車両信号を用いて車両診断する場合でも各車両から収集した車両信号を用いて精度の高い車両診断を可能とする車両診断装置を提供することを課題とする。【解決手段】車両信号を用いて車両を診断する車両診断装置であって、予め設定された各条件を車両に入力して、車両から各条件に応じた車両信号と車両情報（例えば、エンジン機種情報、車型情報、架装情報、総走行距離情報）を収集して、収集した各条件に応じた車両信号のデータを車両情報に紐付けてデータベースに蓄積しておき、診断対象車両を診断する場合、データベースから診断対象車両と同一の車両情報又は類似の車両情報に紐付けられた各条件に応じた車両信号の蓄積データを抽出し、抽出した各条件に応じた車両信号の蓄積データと診断対象車両から収集した同じ各条件に応じた車両信号のデータとを比較する。【選択図】図１１
2014084037.tif 000002
【特許請求の範囲】
【請求項１】
車両信号を用いて車両を診断する車両診断装置であって、
予め設定された所定の条件を車両に入力して、該車両から前記所定の条件に応じた車両信号と該車両の車両情報を収集する収集手段と、
前記収集手段で収集した所定の条件に応じた車両信号のデータを車両情報に紐付けて蓄積する蓄積手段と、
診断対象車両を診断する場合、前記蓄積手段から診断対象車両と同一の車両情報又は類似の車両情報に紐付けられた所定の条件に応じた車両信号の蓄積データを抽出する抽出手段と、
前記抽出手段で抽出した所定の条件に応じた車両信号の蓄積データと、前記収集手段で収集した診断対象車両での所定の条件に応じた車両信号のデータとを比較する比較手段と、
を備えることを特徴とする車両診断装置。
【請求項２】
前記車両情報は、エンジン機種情報、車型情報、架装情報、総走行距離情報のうちの少なくとも１つであることを特徴とする請求項１に記載の車両診断装置。
【請求項３】
前記比較手段は、前記抽出手段で抽出した所定の条件に応じた車両信号の蓄積データと、前記収集手段で収集した診断対象車両での所定の条件に応じた車両信号のデータとを表示することを特徴とする請求項１又は請求項２に記載の車両診断装置。
【請求項４】
前記比較手段は、前記抽出手段で抽出した所定の条件に応じた車両信号の蓄積データに基づいて診断基準を生成し、該診断基準と前記収集手段で収集した診断対象車両での所定の条件に応じた車両信号のデータとを比較して正常か否かを判定することを特徴とする請求項１又は請求項２に記載の車両診断装置。
【発明の詳細な説明】
【技術分野】
【０００１】
本発明は、車両信号を用いて車両を診断する車両診断装置に関する。
【背景技術】
【０００２】
従来、車両診断装置のデータモニタ機能（車両から収集した車両信号を表示する機能）により、整備作業者が、各種車両信号を観測して車両が正常か否かを判断している。また、他の車両の車両信号（車両データ）を利用して車両診断を行うことが知られており、例えば、特許文献１に記載のものがある。特許文献１には、ネットワークを介して故障車両から故障発生前の車両データを受信して予め蓄積しておき、ネットワークを介して故障予測対象車両から車両データを受信し、この故障予測対象車両の車両データと同型である車両の蓄積された車両データとを相関演算することによって故障予測対象車両に故障が発生するか否かを予測することが記載されている。
【先行技術文献】
【特許文献】
【０００３】
【特許文献１】特開２００４−２６８６３３号公報
【発明の概要】
【発明が解決しようとする課題】
【０００４】
車両信号から判断する場合、車両信号に対して基準値があれば判断し易いが、基準値が明示されていない場合がある。基準値がない場合、整備作業者（特に、熟練していない経験の浅い整備作業者）は、車両信号から車両が正常か否かを判断することが困難であった。車両信号に対して基準値が明示されていない事由としては、車両はメカトロニクス製品であるので、入力値（例えば、ＥＣＵ[Electronic Control Unit]による指示値）と出力値（例えば、機構動作後のセンサー値）の伝達関数を机上では計算できないものが多いこと（車両実験で実測する方法が中心となるが、全ての車両信号の実測は困難）、各車両メーカーが自社技術保護のために公表しないこと、などが考えられる。特許文献１では、故障した車両から収集した車両データを用いて故障予測を行っているが、この車両データは各車両における故障前の様々な条件での車両データなので、基準値として用いるには精度が不十分である。
【０００５】
そこで、本発明は、基準値が明示されていない車両信号を用いて車両診断する場合でも各車両から収集した車両信号を用いて精度の高い車両診断を可能とする車両診断装置を提供することを課題とする。
【課題を解決するための手段】
【０００６】
本発明に係る車両診断装置は、車両信号を用いて車両を診断する車両診断装置であって、予め設定された所定の条件を車両に入力して、該車両から前記所定の条件に応じた車両信号と該車両の車両情報を収集する収集手段と、収集手段で収集した所定の条件に応じた車両信号のデータを車両情報に紐付けて蓄積する蓄積手段と、診断対象車両を診断する場合、蓄積手段から診断対象車両と同一の車両情報又は類似の車両情報に紐付けられた所定の条件に応じた車両信号の蓄積データを抽出する抽出手段と、抽出手段で抽出した所定の条件に応じた車両信号の蓄積データと、収集手段で収集した診断対象車両での所定の条件に応じた車両信号のデータとを比較する比較手段とを備えることを特徴とする。
【０００７】
任意の車両から車両信号を収集する場合、車両診断装置では、収集手段で所定の条件を車両に入力してその車両から所定の条件に応じた車両信号とその車両の車両情報を収集し、蓄積手段にその収集された所定の条件に応じた車両信号のデータを車両情報に紐付けて蓄積しておく。所定の条件は、予め設定された条件である。様々な車両から同じ条件で車両信号が収集され、その同じ条件での車両信号のデータが蓄積手段に蓄積される。蓄積手段に蓄積される車両信号のデータは、車両情報に紐付けられており、車両情報毎に抽出できる。ある診断対象車両を診断する場合、車両診断装置では、収集手段で所定の条件を診断対象車両に入力してその診断対象車両から所定の条件に応じた車両信号とその診断対象車両の車両情報を収集する。そして、車両診断装置では、抽出手段で蓄積手段から診断対象車両と同一の車両情報又は類似の車両情報に紐付けられた所定の条件に応じた車両信号の蓄積データを抽出する。さらに、車両診断装置では、比較手段でその所定の条件に応じた車両信号の蓄積データと、診断対象車両での同じ所定の条件に応じた車両信号のデータとを比較することにより、診断対象車両の車両信号が正常か否かを診断する。蓄積データは多数の車両信号から同じ所定の条件で収集された車両信号なので、比較する基準値（基準範囲を含む）として信頼性が高く、車両信号の良否を容易かつ高精度に判断できる。各種車両信号について良否を判断することにより、車両の異常箇所（例えば、故障の可能性の高い箇所、劣化のある箇所）を特定できる。その結果、点検作業や修理作業の迅速化を図ることができる。このように、車両診断装置では、各車両から所定の条件に応じた車両信号を収集し、その収集した車両信号のデータを車両情報に紐付けて蓄積しておき、車両診断する際に同一又は類似の車両情報の同じ各条件に応じた車両信号の蓄積データと比較できるようにすることにより、基準値が明示されていない車両信号を用いて車両診断する場合でも精度の高い車両診断ができる。
【０００８】
本発明の上記車両診断装置では、車両情報は、エンジン機種情報、車型情報、架装情報、総走行距離情報のうちの少なくとも１つである。車両診断装置では、エンジン機種情報、車型情報、架装情報、総走行距離情報に紐付けて所定の条件に応じた車両信号のデータを蓄積しておくことにより、エンジン機種情報、車型情報、架装情報、総走行距離情報別に車両信号のデータを比較でき、更に精度の高い車両診断ができる。
【０００９】
本発明の上記車両診断装置では、比較手段は、抽出手段で抽出した所定の条件に応じた車両信号の蓄積データと、収集手段で収集した診断対象車両での所定の条件に応じた車両信号のデータとを表示する構成としてもよい。このように、車両診断装置では、所定の条件に応じた車両信号の蓄積データと診断対象車両での所定の条件に応じた車両信号のデータとを合わせて表示して比較できるようにすることにより、整備作業者が表示されている蓄積データを基準値として診断対象車両の車両信号の良否を容易に判断できる。特に、所定の条件に応じた車両信号の蓄積データが明確な基準値となるので、熟練していない経験の浅い整備作業者でも容易に判断できる。
【００１０】
本発明の上記車両診断装置では、比較手段は、抽出手段で抽出した所定の条件に応じた車両信号の蓄積データに基づいて診断基準を生成し、該診断基準と収集手段で収集した診断対象車両での所定の条件に応じた車両信号のデータとを比較して正常か否かを判定する構成としてもよい。このように、車両診断装置では、所定の条件に応じた車両信号の蓄積データから診断基準を生成し、その診断基準と診断対象車両での所定の条件に応じた車両信号のデータとを比較することにより、装置側で診断対象車両の車両信号の良否を容易かつ高精度に判断できる。
【発明の効果】
【００１１】
本発明によれば、各車両から所定の条件に応じた車両信号を収集し、その収集した車両信号のデータを車両情報に紐付けて蓄積しておき、車両診断する際に同一又は類似の車両情報の同じ各条件に応じた車両信号の蓄積データと比較できるようにすることにより、基準値が明示されていない車両信号を用いて車両診断する場合でも精度の高い車両診断ができる。
【図面の簡単な説明】
【００１２】
【図１】本実施の形態に係る車両診断装置を含むシステム構成図である。
【図２】シーケンス（各条件）とシーケンスに従って収集された車両信号の一例であり、（ａ）がシーケンスである各条件の目標エンジン回転数であり、（ｂ）が車両信号である各条件に応じたターボ回転数である。
【図３】図１のデータベースに格納される車両情報と車両信号データの一例である。
【図４】図１の車両診断装置で表示される総走行距離別の蓄積データの散布図の一例であり、（ａ）が全ての総走行距離の散布図であり、（ｂ）が総走行距離が５万ｋｍ以下の散布図である。
【図５】図１の車両診断装置で表示される総走行距離別の蓄積データの散布図と診断対象車両の車両信号データとの比較の一例であり、（ａ）が車両信号データが正常な場合であり、（ｂ）が車両信号データが異常な場合である。
【図６】図１の車両診断装置で表示されるエンジン機種別の蓄積データの散布図と診断対象車両の車両信号データとの比較の一例である。
【図７】図１の車両診断装置で表示される車型別の蓄積データの散布図と診断対象車両の車両信号データとの比較の一例である。
【図８】図１の車両診断装置で表示される車型別の蓄積データ（異常データ）の散布図と診断対象車両の車両信号データとの比較の一例である。
【図９】本実施の形態に係る車両信号収集蓄積の動作の流れを示すフローチャートである。
【図１０】本実施の形態に係る車両信号収集蓄積処理（異常データの場合）の動作の流れを示すフローチャートである。
【図１１】本実施の形態に係る車両信号比較の動作の流れを示すフローチャートである。
【発明を実施するための形態】
【００１３】
以下、図面を参照して、本発明に係る車両診断装置の実施の形態を説明する。なお、各図において同一又は相当する要素については同一の符号を付し、重複する説明を省略する。
【００１４】
本実施の形態では、本発明に係る車両診断装置を、トラック、バスなどの商用車を対象とした診断を行う車両診断装置に適用する。本実施の形態に係る車両診断装置は、ディーラ、修理工場、整備工場等にそれぞれ設けられ、これらの場所に車両が持ち込まれたときに接続される。各車両は、車両に異常がある場合、修理が必要な場合、定期的な点検を受ける場合等にこれらの場所に持ち込まれる。本実施の形態に係る車両診断装置は、データを蓄積するために、サーバーにネットワークを介して接続し、サーバーのデータベースを利用する。
【００１５】
図１〜図８を参照して、車両診断装置１及びサーバー３（データベース４）について説明する。図１は、本実施の形態に係る車両診断装置を含むシステム構成図である。図２は、シーケンス（各条件）とシーケンスに従って収集された車両信号の一例である。図３は、データベースに格納される車両情報と車両信号データの一例である。図４〜図８は、車両診断装置での表示の各例である。
【００１６】
まず、車両診断装置１について説明する。車両診断装置１は、ＣＰＵ[Central Processing Unit]、ＲＯＭ[ReadOnly Memory]、ＲＡＭ[Random Access Memory]等からなるコンピュータによって構成される装置であり、車両信号収集蓄積機能及び車両信号比較機能を有している。また、車両診断装置１は、ディスプレイを備えており、ディスプレイに診断用の情報を表示する。また、車両診断装置１は、車両用の通信装置を備えており、この通信装置によって車両Ｖとの間で信号を送受信する。各車両Ｖも、車両診断装置１と通信するための通信装置を備えている。また、車両診断装置１は、ネットワーク用の通信装置も備えており、この通信装置でネットワーク２を介してサーバー３に接続する。
【００１７】
なお、本実施の形態では、車両診断装置１の車両用の通信装置と車両信号収集蓄積機能が特許請求の範囲に記載する収集手段に相当し、車両診断装置１の車両信号比較機能とネットワーク用の通信装置及びサーバー３が特許請求の範囲に記載する抽出手段に相当し、車両診断装置１の車両信号比較機能とディスプレイが特許請求の範囲に記載する比較手段に相当する。
【００１８】
車両信号収集蓄積機能について説明する。車両診断装置１では、車両Ｖが接続されると、シーケンス毎に、シーケンスの各条件を示す制御信号を車両Ｖに送信する。シーケンスは、予め設定されており、エンジンに関するシーケンス、ブレーキに関するシーケンス、ステアリングに関するシーケンス等の様々なシーケンスがある。各シーケンスは、予め決められた複数の条件からなる。制御信号は、シーケンスの条件毎に順次送信されてもよいし、あるいは、全ての条件を含むシーケンス全体で送信されてもよい。車両Ｖでは、制御信号を受信すると、該当するＥＣＵでその制御信号の各条件に応じて車両Ｖの該当する装置を動作させ、その装置の動作に関連する車両信号を出力する。車両信号としては、車両内で使用される信号であればどのような信号にも適用でき、例えば、ＣＡＮ[Controller Area Network]信号である。
【００１９】
図２（ａ）には、１０個の条件からなるシーケンスの一例を示している。この例は、エンジンに関するシーケンスであり、目標エンジン回転数を条件１〜条件１０の順で変化させるシーケンスである。車両Ｖでは、この各条件を示す制御信号が送信されると、エンジンＥＣＵで各条件の目標エンジン回転数を目標値としてエンジン制御を行い、エンジンを駆動させる。この各条件でエンジンが駆動したときに関連する様々な車両信号（例えば、ターボ回転数の車両信号、燃料噴射量の車両信号、実エンジン回転数の車両信号）があるので、この各車両信号が収集される。なお、ここで示す例は車両信号を収集する際の所定の条件の一例であり、車両信号を収集する際の所定の条件については他の様々な条件を適用できる。
【００２０】
車両診断装置１では、シーケンスの条件毎に、関連する各車両信号を車両Ｖから受信する。この際、車両診断装置１では、受信している各車両信号のデータをディスプレイに表示する。シーケンスの全ての条件が終了し、各条件に応じた車両信号を受信すると、車両診断装置１では、次のシーケンスに移行する。図２（ｂ）には、図２（ａ）に示す目標エンジン回転数の各条件に応じた車両信号としてターボ回転数の例を示しており、各条件の目標エンジン回転数のときの車両Ｖから収集されたターボ回転数を示している。
【００２１】
全てシーケンスが終了すると、車両診断装置１では、車両Ｖから車両情報を読み出す。この車両情報としては、エンジン機種情報、車型情報、架装情報、総走行距離情報がある。エンジン機種情報としては、例えば、E13C<ET-I>、E13C<ET-II>、E13C<ET-III>があり、排気量や出力性能（馬力）、環境性能（排出ガスレベル）により区分される。車型情報としては、例えば、ＦＲ（前１軸後２軸で、後２軸うちの前側の軸が駆動輪）、ＦＮ（前２軸後１軸で、後１軸が駆動輪）、ＦＳ（前１軸後２軸で、後２軸共に駆動輪）、ＦＷ（前２軸後２軸で、後２軸共に駆動輪）がある。架装情報としては、例えば、カーゴ、ダンプ、タンクローリー、ミキサー、冷凍バンがある。総走行距離情報は、例えば、５万ｋｍ以下、５万ｋｍ〜３０万ｋｍ、３０万ｋｍ超に区分けされる。
【００２２】
そして、車両診断装置１では、シーケンス毎の各条件に応じた車両信号のデータ及び車両情報を、ネットワーク２を介してサーバー３に送信する。この送信された車両信号データと車両情報は、サーバー３のデータベース４に格納（蓄積）される。
【００２３】
なお、車両Ｖは、ＯＢＤ[On Board Diagnosis]装置を具備し、故障コードの検出、保持及び出力する機能を持っている。故障コードには、エンジンに関する故障コード、ブレーキに関する故障コード、ステアリングに関する故障コード等の様々な故障コードがある。故障コードで故障であることが示されている装置がある場合、その装置に関連する車両信号のデータは、故障している場合のデータであるので、異常値とみなすことができる。そこで、車両診断装置１では、車両Ｖから故障コードも読み出した場合、故障コードに基づいて故障の発生の装置があると、その装置に関連する車両信号のデータを異常値として取り扱う。
【００２４】
ちなみに、様々な車両から収集された車両信号データを比較データとする場合、同一のエンジン機種／車型／架装の車両から収集された車両信号データと比較すれば、比較データとしての信頼性が高くなる。同一のエンジン機種／車型／架装のデータが無い場合でも、類似しているエンジン機種／車型／架装の車両（例えば、エンジン機種だけが同一の車両、車型だけが同一の車両、架装だけが同一の車両、エンジン機種が近い車両、車型が近い車両、架装が近い車両、エンジン機種と車型が近い車両）から収集された車両信号データと比較すれば、比較データとしての信頼性が高くなる。また、総走行距離については、総走行距離が少ないほど新車の状態に近いので、データとして正常値である確度が高いと想定できるので、総走行距離が５万ｋｍ以下の車両から収集された車両信号データと比較すれば、比較データとしての信頼性が高くなる。あるいは、同程度の総走行距離の車両から収集された車両信号データと比較しても、比較データとしての信頼性が高くなる。また、比較データが多数の車両が収集された蓄積データなほど、信頼性が高くなる。また、同じ条件で収集された車両信号データを比較データとするので、信頼性が高い。
【００２５】
車両信号比較機能について説明する。車両診断装置１では、車両Ｖ（特に、車両に異常等があり、診断を希望している車両）が接続されると、車両Ｖから車両情報を読み出す。
【００２６】
そして、車両診断装置１では、シーケンス毎に、その読み出したエンジン機種情報／車型情報／架装情報と同一又は類似のエンジン機種情報／車型情報／架装情報（特に、同一のもの優先）の車両から収集された車両信号データがデータベース４に蓄積されているかを、ネットワーク２を介してサーバー３に照会する。データベース４にこのような蓄積データが無い場合、車両診断装置１では、ディスプレイに“蓄積データ無し”と表示する。この場合、比較診断はできない。なお、エンジン機種情報／車型情報／架装情報については同一及び類似の蓄積データが無い場合でも、他のエンジン機種情報／車型情報／架装情報の蓄積データを用いて比較診断を行ってもよい。例えば、総走行距離が同程度の蓄積データあるいは総走行距離が少ない蓄積データを用いて、比較診断できるようにする。
【００２７】
データベース４に蓄積データが有る場合、車両診断装置１では、その同一又は類似のエンジン機種情報／車型情報／架装情報の車両信号の蓄積データを、ネットワーク２を介してサーバー３から受信する。そして、車両診断装置１では、その蓄積データを散布図としてディスプレイに表示する。この散布図では、例えば、エンジン機種情報／車型情報／架装情報が同一又は類似の蓄積データを、総走行距離帯別（５万ｋｍ以下、５万ｋｍ〜３０万ｋｍ、３０万ｋｍ超）に色やシンボルに分けて表示する。さらに、総走行距離帯を指定するラジオボタンを表示し、特定の総走行距離帯の蓄積データの散布図を表示できるようにする。この他にも、散布図では、蓄積データをエンジン機種別や車型別、架装別に色やシンボルに分けて表示してもよい。さらに、エンジン機種や車型、架装を指定するラジオボタンを表示し、特定のエンジン機種や車型、架装の蓄積データの散布図を表示できるようにする。
【００２８】
図４には、その一例を示しており、図２に示すシーケンスの各条件に応じたターボ回転数の蓄積データを散布図としたものである。図４（ａ）には、データ表示切替のラジオボタンで全てが選択されており、散布図として全ての総走行距離の蓄積データを表示している。ターボ回転数の各データは、総走行距離帯として５万ｋｍ以下、５万ｋｍ〜３０万ｋｍ、３０万ｋｍ超の各データが異なるシンボルでそれぞれ表示されている。図４（ｂ）には、データ表示切替のラジオボタンで５万ｋｍ以下が選択されており、散布図として総走行距離が５万ｋｍ以下の蓄積データのみを表示している。
【００２９】
この散布図では、蓄積データが分布される範囲内が車両信号として正常である可能性が高い。そこで、車両信号データがこの分布範囲内の場合には正常である可能性が高いと判別でき、分布範囲から逸脱（特に、大きく逸脱）するような場合には異常である可能性が高いと判別できる。車両信号が異常と判別された場合、その車両信号に関連する箇所が故障や劣化などの可能性が高いので、その箇所を対象として詳細な点検を行い、必要に応じて修理する。
【００３０】
なお、上記したように、車両Ｖの故障コードに基づいて異常値とされる蓄積データもある場合、その異常値の蓄積データも散布図とする。この場合、異常値である蓄積データが分布される範囲内が異常である可能性が高い。そこで、車両信号データがこの分布範囲内の場合には異常である可能性が高いと判別でき、分布範囲から逸脱するような場合には正常である可能性が高いと判別できる。
【００３１】
車両診断装置１では、車両信号収集蓄積機能と同様の処理により、散布図で表示している同じシーケンスについて、車両Ｖからシーケンスの各条件に応じた車両信号を収集し、その収集した車両信号のデータを散布図に重ねてディスプレイに表示する。
【００３２】
図５（ａ）には、図４（ａ）の散布図に、ある比較評価対象の車両Ｖから収集した各条件に応じたターボ回転数のデータＤ１を重ねて表示したものを示している。この例の場合、このターボ回転数データＤ１は、蓄積データの分布範囲にほぼ含まれ、大きく逸脱していないので、整備作業者は、瞬時に正常と判別できる。一方、図５（ｂ）には、図４（ａ）の散布図に、他の比較評価対象の車両Ｖから収集した各条件に応じたターボ回転数のデータＤ２を重ねて表示したものを示している。この例の場合、このターボ回転数データＤ２は、条件４から条件５のあたりのデータＥ２が蓄積データの分布範囲から大きく逸脱しているので、整備作業者は、瞬時に異常の可能性が高いと判別できる。
【００３３】
また、図６には、エンジン機種情報別の蓄積データの散布図に、ある比較評価対象の車両Ｖから収集した各条件に応じたターボ回転数のデータＤ３を重ねて表示したものを示している。この散布図では、データ表示切替のラジオボタンで全てが選択されているので、全てのエンジン機種の蓄積データを表示している。この例の場合、このターボ回転数データＤ３は、蓄積データの分布範囲にほぼ含まれ、大きく逸脱していないので、整備作業者は、瞬時に正常と判別できる。
【００３４】
また、図７には、車型情報別の蓄積データの散布図に、ある比較評価対象の車両Ｖから収集した各条件に応じたターボ回転数のデータＤ４を重ねて表示したものを示している。この散布図では、データ表示切替のラジオボタンで全てが選択されているので、全ての車型の蓄積データを表示している。この例の場合、このターボ回転数データＤ４は、蓄積データの分布範囲にほぼ含まれ、大きく逸脱していないので、整備作業者は、瞬時に正常と判別できる。
【００３５】
また、図８には、車型情報別の蓄積データの散布図に、他の比較評価対象の車両Ｖから収集した各条件に応じたターボ回転数のデータＤ５を重ねて表示したものを示している。この散布図では、データ表示切替のラジオボタンでＦＲが選択されているので、ＦＲの車型の蓄積データを表示している。さらに、蓄積データに異常値のデータも含まれていたので、ＦＲの車型の異常値の蓄積データも表示している。この例の場合、このターボ回転数データＤ５は、条件４から条件５のあたりのデータＥ５が異常値の蓄積データの分布範囲に含まれているので、整備作業者は、瞬時に異常の可能性が高いと判別できる。
【００３６】
サーバー３（データベース４）について説明する。サーバー３は、周知のサーバーを適用でき、各車両診断装置１から送信されたデータの蓄積機能や抽出機能を少なくとも有している。サーバー３は、データを格納するためのデータベース４を備えている。また、サーバー３は、ネットワーク用の通信装置を備えており、この通信装置でネットワーク２を介して各車両診断装置１に接続する。なお、データベース４が特許請求の範囲に記載する蓄積手段に相当する。
【００３７】
サーバー３では、車両診断装置１からシーケンス毎の各条件に応じた車両信号データ及び車両情報を受信する毎に、その各条件に応じた車両信号データを車両情報に紐付けてデータベース４に格納する。図３には、データベース４の格納形式の一例を示しており、車両情報（エンジン機種情報、車型情報、架装情報、総走行距離）に紐付けて、各条件の車両信号データ（信号１、信号２、・・・）が格納されている。この格納形式は一例であり、他のどのような格納形式でもよく、例えば、同一のエンジン機種情報別、同一の車型情報別、同一の架装情報別、同一の総走行距離別に車両信号データをそれぞれ格納する。
【００３８】
また、サーバー３では、車両診断装置１から同一又は類似の車両情報（例えば、エンジン機種情報／車型情報／架装情報）の車両信号データがデータベース４に蓄積されているかの照会があると、その車両情報をキーとして最初に同一の車両情報の蓄積データがあるかをデータベース４内で検索し、同一の車両情報の蓄積データが無い場合には類似の車両情報の蓄積データがあるかをデータベース４内で検索する。同一又は類似の車両情報の蓄積データが有る場合、サーバー３では、車両診断装置１にその蓄積データを送信する。この送信される蓄積データは、各条件についての車両信号の蓄積データであり、車両情報も付加されている。同一及び類似の車両情報の蓄積データが無い場合、サーバー３では、車両診断装置１に蓄積データが無い旨を通知する。
【００３９】
上記した構成の車両診断装置１やサーバー３（データベース４）における車両信号収集蓄積の動作の流れを図９、図１０のフローチャートに沿って説明し、車両信号比較の動作の流れを図１１のフローチャートに沿って説明する。車両信号収集蓄積の動作については、通常の動作と、異常値としてのデータも収集蓄積する場合の動作も説明する。図９は、車両信号収集蓄積の動作の流れを示すフローチャートである。図１０は、車両信号収集蓄積（異常データの場合）の動作の流れを示すフローチャートである。図１１は、車両信号比較の動作の流れを示すフローチャートである。
【００４０】
車両Ｖが車両診断装置１に接続されると、シーケンス毎に、車両診断装置１では、各シーケンスを開始し（Ｓ１０）、条件用のカウンタｎを０に初期化する（Ｓ１１）。
【００４１】
車両診断装置１では、シーケンスの条件ｎの制御信号を車両Ｖに送信する（Ｓ１２）。車両Ｖでは、制御信号を受信すると、条件ｎに応じて動作し、条件ｎに応じた車両信号を車両診断装置１に送信する。車両診断装置１では、この車両信号を受信（収集）する（Ｓ１３）。そして、車両診断装置１では、その車両信号のデータをディスプレイに表示する（Ｓ１４）。ここでは、データ収集段階なので、この表示を行わなくてもよい。さらに、車両診断装置１では、カウンタｎをインクリメント（ｎ＝ｎ＋１）する（Ｓ１５）。そして、車両診断装置１では、カウンタｎの数値からシーケンスの最後の条件が終了したかを判断し、このシーケンスが終了したか否かを判定する（Ｓ１６）。Ｓ１６にてシーケンスが終了していないと判定した場合、車両診断装置１では、Ｓ１２の処理に戻る。
【００４２】
Ｓ１６にてシーケンスが終了したと判定した場合（全てのシーケンスが終了した時点でもよいし、１つのシーケンスが終了する毎でもよい）、車両診断装置１では、車両Ｖから車両情報（エンジン機種情報、車型情報、架装情報、総走行距離情報等）を読み出す（Ｓ１７）。そして、車両診断装置１では、シーケンスの各条件に応じた車両信号のデータと車両情報をサーバー３に送信する（Ｓ１８）。サーバー３では、この各条件に応じた車両信号のデータと車両情報を受信すると、車両情報に紐付けて各条件に応じた車両信号データをデータベース４に格納し、蓄積しておく（Ｓ１９）。
【００４３】
特に、異常値としてのデータも収集蓄積する場合、車両Ｖが車両診断装置１に接続されると、車両診断装置１では、車両Ｖから故障コードを読み出す（Ｓ２０）。車両診断装置１では、今回のシーケンスに関連する故障コードでの故障情報が有ったか否かを判定する（Ｓ２１）。Ｓ２１にて故障コードでの故障情報が無かったと判定した場合、車両診断装置１では、フラグＤＴＣ＝０と設定する（Ｓ２２）。Ｓ２１にて故障コードでの故障情報が有ったと判定した場合、車両診断装置１では、フラグＤＴＣ＝１と設定する（Ｓ２３）。そして、車両診断装置１では、上記のＳ１０〜Ｓ１６と同じ処理により、シーケンスの各条件に応じた車両信号を車両Ｖから収集する（Ｓ２４〜Ｓ３０）。
【００４４】
Ｓ３０にてシーケンスが終了したと判定した場合、車両診断装置１では、車両Ｖから車両情報を読み出す（Ｓ３１）。そして、車両診断装置１では、フラグＤＴＣが１か否かを判定する（Ｓ３２）。Ｓ３２にてフラグＤＴＣが０と判定した場合、車両診断装置１では、収集した各条件に応じた車両信号のデータを正常値として取り扱う（Ｓ３３）。Ｓ３２にてフラグＤＴＣが１と判定した場合、車両診断装置１では、収集した各条件に応じた車両信号のデータを異常値として取り扱う（Ｓ３４）。そして、車両診断装置１では、シーケンスの各条件に応じた車両信号のデータ（異常値又は正常値）と車両情報をサーバー３に送信する（Ｓ３５）。サーバー３では、この各条件に応じた車両信号のデータ（異常値／正常値）と車両情報を受信すると、車両情報に紐付けて各条件に応じた車両信号データ（異常値／正常値の識別情報も付加）をデータベース４に格納し、蓄積しておく（Ｓ３６）。
【００４５】
診断対象の車両Ｖが接続されると、車両診断装置１では、車両Ｖから車両情報を読み出す（Ｓ４０）。そして、車両診断装置１では、その車両情報（ここでは、例えば、車型情報とする）と同一又は類似の車両から収集された車両信号のデータが蓄積されているかをサーバー３に照会する（Ｓ４１）。サーバー３では、この照会に応じて、照会の車型情報をキーにデータベース４を検索し、まず、同一の車型情報の蓄積データが有るか否かを検索し（Ｓ４２）、同一の車型情報の蓄積データが無い場合には類似の車型情報の蓄積データが有るか否かを検索する（Ｓ４３）。Ｓ４２にて同一の車型情報の蓄積データが有る場合、サーバー３では、データベース４からその同一の車型情報の蓄積データを抽出し、この蓄積データを車両診断装置１に送信する。車両診断装置１では、この蓄積データを受信する（Ｓ４４）。また、Ｓ４３にて類似の車型情報の蓄積データが有る場合、サーバー３では、データベース４からその類似の車型情報の蓄積データを抽出し、この蓄積データを車両診断装置１に送信する。車両診断装置１では、この蓄積データを受信する（Ｓ４４）。そして、車両診断装置１では、受信した蓄積データを散布図としてディスプレイに描画する（Ｓ４５）。Ｓ４３にて類似の車型情報の蓄積データも無い場合、サーバー３では、“蓄積データ無し”と車両診断装置１に通知する。車両診断装置１では、この通知を受信すると、“蓄積データ無し”とディスプレイに表示する（Ｓ４６）。
【００４６】
車両診断装置１では、シーケンスを開始し（Ｓ４７）、条件用のカウンタｎを０に初期化する（Ｓ４８）。車両診断装置１では、シーケンスの条件ｎの制御信号を車両Ｖに送信する（Ｓ４９）。車両Ｖでは、制御信号の条件ｎに応じて動作し、条件ｎに応じた車両信号を車両診断装置１に送信する。車両診断装置１では、この車両信号を受信する（Ｓ５０）。そして、車両診断装置１では、散布図に重ねて、その車両信号のデータをディスプレイに表示する（Ｓ５１）。さらに、車両診断装置１では、カウンタｎをインクリメント（ｎ＝ｎ＋１）する（Ｓ５２）。そして、車両診断装置１では、このシーケンスが終了したか否かを判定する（Ｓ５３）。Ｓ５３にてシーケンスが終了していないと判定した場合、車両診断装置１では、Ｓ４９の処理に戻る。
【００４７】
Ｓ５３にてシーケンスが終了したと判定した場合、シーケンスの全ての条件の車両信号のデータが、散布図に重ねられて表示されたことになる。整備作業者は、この散布図の蓄積データの分散範囲と車両信号データとを比較し、車両信号が正常かあるいは異常の可能性があるかを判断する。この際、整備作業者は、必要に応じて、ラジオボタンを選択し、散布図として表示する蓄積データを変える。整備作業者は、異常の可能性がある車両信号がある場合、その車両信号に関連する箇所を重点的に点検し、必要に応じて修理する。
【００４８】
ここでは、全てのシーケンスについて車両信号比較をそれぞれ行ってもよいし、特定のシーケンスだけについて車両信号比較を行ってもよい。例えば、定期的な点検の場合には全てのシーケンスについて行い、不具合症状の発生部位が明確な場合（例えば、エンジンの振動が通常より大きい）にはエンジンに関連するシーケンスだけを行う。
【００４９】
この車両診断装置１によれば、各車両Ｖにシーケンスに従って各条件を入力して、各条件に応じた車両信号を収集し、その収集した車両信号のデータを車両Ｖの車両情報に紐付けてデータベース４に蓄積しておき、車両診断する際に同一又は類似の車両情報の同じシーケンスの各条件に応じた車両信号の蓄積データと比較できるようにすることにより、基準値が明示されていない車両信号を用いて車両診断する場合でも、同じシーケンスの各条件で多数の車両から収集された車両信号の蓄積データは比較する基準範囲として信頼性が高いので、車両信号の良否を容易かつ高精度に判断でき、精度の高い車両診断ができる。各種車両信号について良否を判断することにより、車両の異常箇所（故障や劣化等の可能性の高い箇所）を迅速に特定でき、点検作業や修理作業の迅速化を図ることができる。
【００５０】
さらに、車両診断装置１によれば、シーケンスに含まれる各条件に応じた車両信号の蓄積データの散布図に診断対象の車両での同じシーケンスの各条件に応じた車両信号のデータを重ねて表示して比較できるようにすることにより、整備作業者がその蓄積データからなる信頼性の高い分布範囲に基づいて診断対象車両の車両信号の良否を容易かつ迅速に判断できる。特に、その蓄積データの分布範囲が明確な基準範囲となるので、熟練していない経験の浅い整備作業者でも容易に判断できる。
【００５１】
また、車両診断装置１によれば、総走行距離帯等を選択できるようにして、総走行距離帯等で分けて蓄積データの散布図を表示できるので、その蓄積データからより信頼性の高い基準範囲を得ることができる。また、車両診断装置１によれば、車両Ｖの故障コードに基づいて異常値の可能性の高い車両信号データも蓄積することより、その異常値の蓄積データからより信頼性の高い基準範囲を得ることができる。
【００５２】
以上、本発明に係る実施の形態について説明したが、本発明は上記実施の形態に限定されることなく様々な形態で実施される。
【００５３】
例えば、本実施の形態では対象としてトラック、バス等の商用車に適用したが、乗用車等の他の自動車車両を対象としてもよいし、２輪車両を対象としてもよい。
【００５４】
また、本実施の形態では車両情報としてエンジン機種情報、車型情報、架装情報、総走行距離情報を適用したが、これ以外の車両情報を適用してもよい。例えば、トランスミッション装置種別やデファレンシャルギア比などの情報である。また、エンジン機種情報と架装情報が同一の車両の蓄積データと比較する、車型情報と総走行距離情報が同一の車両の蓄積データと比較するなど複数の車両情報を指定して表示や比較できるようにしてもよい。
【００５５】
また、本実施の形態ではディーラー、修理工場、整備工場等に車両が持ち込まれたときに車両信号収集を行う構成としたが、車両製造工場において工場出荷時の車両から車両信号収集を行う構成としてもよい。このように工場出荷時に車両信号収集を行うことにより、全車両から車両信号データを収集できる。この収集された車両信号データは、新車のものなので、正常値としての確度が高いデータである。
【００５６】
また、本実施の形態ではネットワークを介してサーバーに接続し、サーバーのデータベースを利用して車両信号データを蓄積する構成としたが、車両信号データを蓄積するための構成としては他の構成でもよい。
【００５７】
また、本実施の形態では蓄積データを散布図とし、散布図に診断対象の車両の車両信号データを重ねてディスプレイに表示して、散布図における蓄積データの分布範囲に基づいて整備作業者が容易に比較診断できるように構成したが、車両診断装置において蓄積データの分布状況を標準偏差値や分散値等として算出し、その値に基づく診断基準を設定し、装置側でその診断基準に基づいて診断対象の車両の車両信号が正常／異常を判別するようにしてもよい。
【符号の説明】
【００５８】
１…車両診断装置、２…ネットワーク、３…サーバー、４…データベース。
【図１】
2014084037.tif 000003
【図２】
2014084037.tif 000004
【図３】
2014084037.tif 000005
【図４】
2014084037.tif 000006
【図５】
2014084037.tif 000007
【図６】
2014084037.tif 000008
【図７】
2014084037.tif 000009
【図８】
2014084037.tif 000010
【図９】
2014084037.tif 000011
【図１０】
2014084037.tif 000012
【図１１】
2014084037.tif 000013